(57)【要約】  【課題】  暗い外光下でもフラッシュを必要とせず被写体を補助光で照明して撮影をすることができるカメラ付き携帯装置を提供すること。  【解決手段】  液晶ディスプレイ２２で表示を行うときには光源を液晶ディスプレイ２２のバックライトとして液晶ディスプレイ２２の背面を照明させ、カメラ２６で被写体を撮影するときには光源を撮影用補助光源として被写体を照明するように光源自体の向きを切り替える切替手段３６を備えるよう構成した。また、液晶ディスプレイ２２で表示を行うときには液晶ディスプレイ２２に所定の表示をさせて表示用のバックライトとして光源を用い、カメラ２６で被写体を撮影するときには液晶ディスプレイ２２の全画素で光源の光を透過させて光源を撮影用補助光源として用いるように液晶ディスプレイ２２を制御するようにしてもよい。【選択図】  図１
2005241814.tif 000002
【特許請求の範囲】
【請求項１】
所定の画像を表示するディスプレイと、
前記ディスプレイで表示を行うときに前記ディスプレイのバックライトとして用いる光源と、
被写体を撮影するカメラと、
前記カメラの撮影レンズを被写体に向けたときに撮影範囲を確認するためのファインダと、
前記ディスプレイで表示を行うときには前記光源を前記ディスプレイのバックライトとして前記ディスプレイの背面を照明させ、前記カメラで被写体を撮影するときには前記光源を撮影用補助光源として前記被写体を照明するように前記光源自体の向きを切り替える切替手段と、
を備えたことを特徴とするカメラ付き携帯装置。
【請求項２】
前記光源は、発光ダイオードを保持部材上に配設したものであり、
前記切替手段は、前記保持部材を回動することにより前記光源の向きを切り替えることを特徴とする請求項１に記載のカメラ付き携帯装置。
【請求項３】
所定の画像を表示するディスプレイと、
前記ディスプレイで表示を行うときに前記ディスプレイのバックライトとして用いる光源と、
被写体を撮影するカメラと、
前記カメラの撮影レンズを被写体に向けたときに撮影範囲を確認するためのファインダと、
前記ディスプレイで表示を行うときには該ディスプレイに所定の表示をさせて表示用のバックライトとして前記光源を用い、前記カメラで被写体を撮影するときには前記ディスプレイの全画素で前記光源の光を透過させて前記光源を撮影用補助光源として用いるように前記ディスプレイを制御するディスプレイ制御手段と、
を備えたことを特徴とするカメラ付き携帯装置。
【請求項４】
前記ファインダは、光学ファインダ、又は、液晶表示装置である請求項１乃至３のいずれか1項に記載のカメラ付き携帯装置。
【請求項５】
前記光源を撮影用補助光源として用いるときには前記光源をバックライトとして用いるときより前記光源の光量を上げるように制御する光量制御手段を備えたことを特徴とする請求項１乃至４のいずれか1項に記載のカメラ付き携帯装置。
【発明の詳細な説明】
【技術分野】
【０００１】
本発明はカメラ付き携帯装置に係り、特にバックライト光源を用いて表示を行うディスプレイを備えたカメラ付き携帯装置に関する。
【背景技術】
【０００２】
カメラ付き携帯電話が一般ユーザに普及してきている。カメラ付き携帯電話は、一般に、通話機能以外に、被写体の撮影、画像の記録媒体への保存、画像付き電子メールの送受信などの各種機能を備えている。また、カメラ付き携帯電話は、一般に、液晶ディスプレイを備えており、電話番号の表示以外に、画像の表示など、各種の表示を行うようになっている。このような各種の表示を行う液晶ディスプレイとしては、鮮明に表示を行うため、バックライト光源を用いたものが多い。
【０００３】
また、特許文献１には、２つのディスプレイを備え、一方のディスプレイへの電源供給が切断されているときでも、他方のディスプレイで電源容量の表示や受信待機中の表示を行うものが記載されている。
【特許文献１】特開平１０−１８０９６４号公報
【発明の開示】
【発明が解決しようとする課題】
【０００４】
室内照明などの暗い外光下で被写体に補助光を照射するための光源としては、コンデンサに蓄電して得た直流電圧で放電管内のキセノンガスをイオン化して放電により閃光を発するエレクトロニックフラッシュ（単に「フラッシュ」ともいう）が知られているが、カメラ付き携帯電話では、その携帯性から、大容量のコンデンサを必要とするフラッシュを装備することが困難である。
【０００５】
本発明はこのような事情に鑑みてなされたもので、暗い外光下でもフラッシュを必要とせず被写体を補助光で照明して撮影をすることができるカメラ付き携帯装置を提供することを目的とする。
【課題を解決するための手段】
【０００６】
前記目的を達成するために、請求項１に記載の発明は、所定の画像を表示するディスプレイと、前記ディスプレイで表示を行うときに前記ディスプレイのバックライトとして用いる光源と、被写体を撮影するカメラと、前記カメラの撮影レンズを被写体に向けたときに撮影範囲を確認するためのファインダと、前記ディスプレイで表示を行うときには前記光源を前記ディスプレイのバックライトとして前記ディスプレイの背面を照明させ、前記カメラで被写体を撮影するときには前記光源を撮影用補助光源として前記被写体を照明するように前記光源自体の向きを切り替える切替手段を備えた構成となっている。
【０００７】
この構成によって、ディスプレイで表示が行われるときには光源からの光がディスプレイの背面を照明してディスプレイで鮮明な表示が行われる一方で、当該光源自体の向きが切替手段によって切り替わることにより、カメラで被写体が撮影されるときには光源からの光が被写体を照明するので、フラッシュなどの撮影専用光源を必要とすることなく被写体を照明して撮影することができる。
【０００８】
請求項２に記載の発明は、請求項１に記載の発明において、前記光源は、発光ダイオードを保持部材上に配設したものであり、前記切替手段は、前記保持部材を回動する構成となっている。
【０００９】
この構成によって、ディスプレイでの鮮明な表示と被写体の照明とを、共通の発光ダイオードを用いて、安価、低消費電力、かつ、簡易な構成で達成することができる。
【００１０】
請求項３に記載の発明は、所定の画像を表示するディスプレイと、前記ディスプレイで表示を行うときに前記ディスプレイのバックライトとして用いる光源と、被写体を撮影するカメラと、前記カメラの撮影レンズを被写体に向けたときに撮影範囲を確認するためのファインダと、前記ディスプレイで表示を行うときには該ディスプレイに所定の表示をさせて表示用のバックライトとして前記光源を用い、前記カメラで被写体を撮影するときには前記ディスプレイの全画素で前記光源の光を透過させて前記光源を撮影用補助光源として用いるように前記ディスプレイを制御するディスプレイ制御手段を備えた構成となっている。
【００１１】
この構成によって、ディスプレイで表示が行われるときには光源からの光が画像表示用のバックライトとして用いられてディスプレイに所定の画像が鮮明に表示される一方で、カメラで被写体が撮影されるときには光源からの光がディスプレイの全画素で透過されることにより光源からの光が被写体を照明するので、フラッシュなどの撮影専用光源を必要とすることなく被写体を照明して撮影をすることができる。
【００１２】
前記ファインダは、請求項４に記載したように、例えば、光学ファインダ、又は、液晶表示装置を用いる。
【００１３】
請求項５に記載の発明は、請求項１乃至４のいずれか１項に記載の発明において、前記光源を撮影用補助光源として用いるときには前記光源をバックライトとして用いるときより前記光源の光量を上げるように制御する光量制御手段を備えた構成となっている。
【００１４】
この構成によって、ディスプレイで比較的長時間の表示を行うときにはその表示に必要な光量により低電力でディスプレイを照明することができる一方で、カメラで比較的短時間の撮影を行うときには被写体を明るく照明することができる。
【発明の効果】
【００１５】
本発明によれば、暗い外光下でもフラッシュを必要とせず被写体を補助光で照明して撮影することができる。
【発明を実施するための最良の形態】
【００１６】
以下、添付図面に従って、本発明を実施するための最良の形態について詳細に説明する。
【００１７】
本実施形態のカメラ付き携帯電話（以下単に「携帯電話」という）は、折畳型であり、開状態にして一方の面（以下「正面」という）を斜めから観察した外観図を図１（ａ）に示し、同じ開状態で他方の面（以下「背面」という）を斜めから観察した外観図を図１（ｂ）に示す。
【００１８】
図１（ａ）及び（ｂ）において、携帯電話１は、第１パネル２と第２パネル４とがヒンジ６を介して開閉自在に連結されて構成されている。携帯電話１の正面において、第１パネル２に、第１ＬＣＤ２２、光源窓２４、カメラ２６、及び、開閉検出スイッチ２８が配設されており、第２パネル４に、正面操作キー３０が配設されている。携帯電話１の背面において、第１パネル２に、第２ＬＣＤ３２、及び、背面操作キー３４が配設されている。携帯電話１の側面において、第１パネル２に、補助光スイッチ３６、及び、シャッタスイッチ３８が配設されている。
【００１９】
第１ＬＣＤ２２は、所定の画像を表示可能であり、透過型ＬＣＤ又は半透過型ＬＣＤが用いられている。透過型ＬＣＤでは、背面から照明した光を用いて表示を行う。透過型ＬＣＤと反射型ＬＣＤを融合したタイプの半透過型ＬＣＤでは、一般に、外光が暗いときには背面から照明した光を用いて表示を行い、外光が明るいときには外光により表示を行うようになっている。
【００２０】
カメラ２６は、被写体を撮影するものであり、被写体からの反射光が入射される撮影レンズ１２を有している。
【００２１】
光源窓２４は、後述の光源が発光した補助光を透過して被写体に照射するための透明の部材である。
【００２２】
第２ＬＣＤ３２は、カメラ２６の撮影レンズ１２を被写体に向けたときに撮影範囲を確認するためのファインダとして用いられるものである。また、携帯電話１を閉状態にしたとき、各種の情報を表示可能である。
【００２３】
開閉検出スイッチ２８は、携帯電話１の開状態及び閉状態を検出するものである。
【００２４】
補助光スイッチ３６は、オフ状態にして後述の光源を第１ＬＣＤ２２のバックライトとして用いるか、オン状態にして当該光源を被写体撮影用の補助光源として用いるかを切り替えるものである。
【００２５】
シャッタスイッチ３８は、カメラ２６で被写体を撮影する際に操作するものである。
【００２６】
図２に光源５０の例を示す。図２において、光源５０は、保持部材５２上に配列された複数の発光ダイオード５０である。補助光スイッチ３６がスライド操作されてオン状態及びオフ状態が切り替えられると、補助光スイッチ３６の直線運動がラック５４及びピニオン５６により円運動に変換されて、保持部材５２が回動し、発光ダイオード５０自体の向きが切り替わるようになっている。なお、図２ではラック５４及びピニオン５６を用いた場合を例に示したが、特にラック５４及びピニオン５６には限定されず、他の機構素子を用いて補助光スイッチ３６から保持部材５２への運動の伝達を行うようにしてもよい。また、図２では、スライド操作の補助光スイッチ３６を例として示したが、その代わりに回動操作の補助光スイッチを用いて、その補助光スイッチの回動運動を保持部材に伝達する機構素子を設けてもよい。
【００２７】
図３（ａ）は補助光スイッチ３６がオフ状態である場合の光源５０の向きを示す第１パネル２の断面図であり、図３（ｂ）は補助光スイッチ３６がオン状態である場合の光源５０の向きを示す第１パネル２の断面図である。
【００２８】
補助光スイッチ３６のオフ状態では、図３（ａ）に示すように、光源５０に導光板５８を介して第１ＬＣＤ２２の背面を照明させる。
【００２９】
補助光スイッチ３６のオン状態では、図３（ｂ）に示すように、光源５０に光源窓２４を介して被写体を照明させる。
【００３０】
図４は携帯電話１の内部構成例を示す要部ブロック図である。
【００３１】
図４において、携帯電話１は、主として、撮影レンズ１２、撮像素子１４、信号処理回路１６、第１ＬＣＤ２２、開閉検出スイッチ２８、正面操作キー３０、第２ＬＣＤ３２、背面操作キー３４、補助光スイッチ３６、シャッタスイッチ３８、光源５０、ＣＰＵ（中央処理装置）６０、記録部６２、及び、電源回路６４、によって構成されている。なお、カメラ２６は、撮影レンズ１２及び撮像素子１４によって構成されている。
【００３２】
図４において、撮影レンズ１２は、被写体像を撮像素子１４の受光面に結像する。撮像素子１４は、結像された被写体像を電気信号に変換する。信号処理回路１６は、撮像素子１４から出力された電気信号（画像）に対してガンマ補正、ホワイトバランス補正等の所定の信号処理を施す。
【００３３】
開閉検出スイッチ２８によって携帯電話１の閉状態が検出されているときには、電源回路６４から光源５０への電源供給が切断されている。開閉検出スイッチ２８によって携帯電話１の開状態が検出されると、電源回路６４から光源５０に電源が供給される。
【００３４】
携帯電話１の開状態において、補助光スイッチ３６がオフ状態であるときには、図３（ａ）に示すように、光源５０が、第１ＬＣＤ２２のバックライトとして、導光板５８を介して、第１ＬＣＤ２２の背面を照明する。また、電源回路６４から第１ＬＣＤ２２に電源が供給されて、第１ＬＣＤ２２で表示が行われる。ここで、補助光スイッチ３６がオフ状態からオン状態に切り替えられると、光源５０が回動し、図３（ｂ）に示すように、光源５０が、撮影用補助光源として、光源窓２４を介して被写体を照明する。なお、ＣＰＵ６０は、電源回路６４から光源５０に対して印加される電圧を制御することにより、光源５０の光量を変化させるようになっている。具体的には、光源５０を撮影用補助光として用いるときには、光源５０を第１ＬＣＤ２２のバックライトとして用いるときより、光量を上げるように光源５０を制御する。
【００３５】
被写体が補助光によって照明された状態で、被写体の画像がカメラ２６から出力されて、第２ＬＣＤ３２で被写体の画像が表示される。ここで、シャッタスイッチ３８が押されると、カメラ２６から出力された被写体の画像が、記録部６２により所定の記録媒体に記録される。
【００３６】
そして、補助光スイッチ３６がオン状態からオフ状態に切り替えられると、図３（ａ）に示すように、光源５０が、第１ＬＣＤ２２のバックライトとして、導光板５８を介して第１ＬＣＤ２２の背面を照明する。撮影した被写体の画像を第１ＬＣＤ２２に表示させることもできる。
【００３７】
以上、第１パネル２の背面に配設された第２ＬＣＤ３２をファインダとして被写体を撮影する場合について説明したが、第１パネル２の正面に配設された第１ＬＣＤ２２をファインダとして撮影者が自分を撮影すること、いわゆる「自分撮り」も可能である。この場合、携帯電話１の開状態において、まず、補助光スイッチ３６をオフ状態にし、カメラ２６から出力された自分の画像を第１ＬＣＤ２２に表示させて、撮影範囲を確認する。次に、補助光が必要な場合には、補助光スイッチ３６をオフ状態からオン状態に切り替えると光源５０からの光によって自分が照明され、シャッタスイッチ３８を押すと、カメラ２６から出力された自分の画像が、記録部６２により所定の記録媒体に記録される。補助光スイッチ３６をオン状態からオフ状態に切り替えて、撮影した自分の画像を第１ＬＣＤ２２に表示させることもできる。
【００３８】
他の実施形態の携帯電話１０の外観図を図５（ａ）及び（ｂ）に示し、その携帯電話１０の内部構成例の要部を図６に示す。なお、図１及び図４に示した携帯電話１の構成要素と同じ構成要素には同じ符号を付してあり詳細な説明は省略する。
【００３９】
図５（ａ）及び（ｂ）において、携帯電話１０には、図１及び図４に示した光源窓２４及び補助光スイッチ３６は配設されておらず、光源５０は常に第１ＬＣＤ２２の背面を照明するようになっている。第１ＬＣＤ２２は、液晶の電圧を変えると分子の配列が変わる性質を利用して、液晶にかける電圧を変えて光を透過させたり反射させたりしている。本実施形態では、第１ＬＣＤ２２で表示を行うときには、ＣＰＵ６００の制御により、光源を表示用バックライトとして用い、第１ＬＣＤ２２の所定の画素のみ光源５０の光を透過させて、第１ＬＣＤ２２に所定の表示をさせる。一方で、カメラ２６で被写体を撮影するときには、ＣＰＵ６００の制御により、第１ＬＣＤ２２の全画素で光源５０の光を透過させて、光源５０を撮影用補助光源として用いる。このように光源５０を撮影用補助光として用いるときには、光源５０を第１ＬＣＤ２２のバックライトとして用いるときより、光量を上げるように光源５０を制御する。
【００４０】
なお、図１及び図５に示した携帯電話１、１０は、カメラ２６が第１パネル２に配設されているが、カメラ２６をヒンジ６に配設してもよい。
【００４１】
また、携帯電話が折畳式である場合を例に説明したが、本発明は、折畳式でない携帯電話に適用してもよいことはもちろんである。例えば、図１及び図５において、ヒンジ６及び開閉スイッチ２８を省略して、第１パネル２と第２パネル４とを一体に形成してもよい。
【００４２】
また、撮影範囲を確認するためのファインダとして、第２ＬＣＤ３２を用いた場合を例に説明したが、本発明はこれに限るものではなく、ファインダとして光学ファインダを用いても同様な効果が得られる。
【００４３】
また、携帯電話に限らず、バックライト光源のディスプレイとカメラとを備えた、ＰＤＡ（Personal Digital Assistant）、デジタルスチールカメラ、デジタルビデオカメラなどの他のカメラ付き携帯装置に本発明を適用してもよい。
【図面の簡単な説明】
【００４４】
【図１】一実施形態のカメラ付き携帯電話の外観図
【図２】一実施形態のカメラ付き携帯電話における光源の例を示す図
【図３】一実施形態のカメラ付き携帯電話における光源の向きを説明するための断面図
【図４】一実施形態のカメラ付き携帯電話の内部構成例を示す要部ブロック図
【図５】他の実施形態のカメラ付き携帯電話の外観図
【図６】他の実施形態のカメラ付き携帯電話の内部構成例を示す要部ブロック図
【符号の説明】
【００４５】
１２…撮影レンズ、２２…第１ＬＣＤ、２４…光源窓、２６…カメラ、３２…第２ＬＣＤ、３６…補助光スイッチ（切替手段）、３８…シャッタスイッチ、５０…光源、５２…保持部材、５８…導光板、６０、６００…ＣＰＵ（ディスプレイ制御手段、光量制御手段）、６２…記録部、６４…電源回路
【図１】
2005241814.tif 000003
【図２】
2005241814.tif 000004
【図３】
2005241814.tif 000005
【図４】
2005241814.tif 000006
【図５】
2005241814.tif 000007
【図６】
2005241814.tif 000008